(57)【特許請求の範囲】
【請求項１】
重心から離間する位置で所定方向に延びる第一軸線を中心に、第一回転位置と、前記第一回転位置にある場合に比べて前記重心が低い位置にある第二回転位置との間を回転可能な装飾体であって、前記第一軸線と直交する方向に長い長穴を形成する開口縁部が、前記第一軸線に対して前記重心とは反対側に設けられた回転装飾体と、
前記第一軸線と平行な第二軸線を中心に回転可能であり、前記長穴に挿通され、且つ前記開口縁部に対して摺動可能な回転部と、
前記回転部を、前記第二軸線を中心に回転させる駆動源と、
遊技盤に固定された固定部材と、
前記開口縁部と前記所定方向に並ぶ位置で前記固定部材に設けられた壁部であって、前記第一回転位置における前記長穴に挿通される前記回転部である特定回転部に対して、前記第二軸線側から対向する対向壁部と
を備え、
前記第一回転位置にある前記回転装飾体が前記第二回転位置へ回転する場合における前記開口縁部の回転方向は、前記第二軸線側へ向かう回転方向であることを特徴とする遊技機。
【発明の詳細な説明】
【技術分野】
【０００１】
本発明は、遊技機に関する。
【背景技術】
【０００２】
従来、駆動源の駆動力によって装飾体を回転させる遊技機が知られている。例えば、特許文献１に開示の遊技機は、ステップモータ、カムギヤ、演出部材、軸部、及びレバーを備える。ステップモータは、駆動源の一例であり、カムギヤと連結する。カムギヤは長孔を有する。演出部材は、所定方向に長い装飾体である。レバーは、演出部材の一端部に固定されると共に、軸部によって回転可能に支持される。レバーは、カムギヤの長孔に移動可能に挿通されるピンを有する。ステップモータの駆動に伴ってカムギヤが回転すると、長孔を形成する壁部は、ピンを押す。レバーが軸部を中心に回転することによって、演出部材は、露出位置と格納位置との間を回転する。露出位置は、遊技機の表示面の前方にある演出部材の配置位置である。格納位置は、正面視で視認不能となる演出部材の配置位置である。露出位置にある演出部材は、軸部から正面視で略左方に延びる。格納位置にある演出部材は、軸部から正面視で略上方に延びる。演出部材が露出位置と格納位置との間を回転する場合、演出部材の重心は、上下方向に変位する。
【先行技術文献】
【特許文献】
【０００３】
【特許文献１】特開２００８−２００１９３号公報
【発明の概要】
【発明が解決しようとする課題】
【０００４】
上記遊技機では、演出部材が露出位置にて停止している場合に、レバーが、演出部材の自重によって軸部を中心へ回転する場合がある。従って、停止している演出部材の回転位置が安定しない虞がある。
【０００５】
本発明の目的は、重心の高さが変わるように回転する回転装飾体が停止している場合に、回転装飾体の回転位置が、回転装飾体の自重によって変わることを抑制する遊技機を提供することである。
【課題を解決するための手段】
【０００６】
本発明に係る遊技機は、重心から離間する位置で所定方向に延びる第一軸線を中心に、第一回転位置と、前記第一回転位置にある場合に比べて前記重心が低い位置にある第二回転位置との間を回転可能な装飾体であって、前記第一軸線と直交する方向に長い長穴を形成する開口縁部が、前記第一軸線に対して前記重心とは反対側に設けられた回転装飾体と、前記第一軸線と平行な第二軸線を中心に回転可能であり、前記長穴に挿通され、且つ前記開口縁部に対して摺動可能な回転部と、前記回転部を、前記第二軸線を中心に回転させる駆動源と、遊技盤に固定された固定部材と、前記開口縁部と前記所定方向に並ぶ位置で前記固定部材に設けられた壁部であって、前記第一回転位置における前記長穴に挿通される前記回転部である特定回転部に対して、前記第二軸線側から対向する対向壁部とを備え、前記第一回転位置にある前記回転装飾体が前記第二回転位置へ回転する場合における前記開口縁部の回転方向は、前記第二軸線側へ向かう回転方向であることを特徴とする。
【０００７】
上記構成によれば、第二軸線を回転する回転部が開口縁部に対して摺動することで、回転装飾体は、重心の高さを変えながら、第一回転位置と第二回転位置との間を回転する。回転装飾体が第一回転位置で停止している場合、回転装飾体には第一モーメントが作用する。第一モーメントは、回転装飾体を第二回転位置へ回転させようとするモーメントであり、回転装飾体の自重に起因して生じる。この場合であっても、回転部は、開口縁部が第二軸線側へ向けて回転することを、阻止する。よって、第一回転位置にて停止している回転装飾体が、回転装飾体の自重に起因して第二回転位置へ向けて回転することを、遊技機は抑制できる。故に、重心の高さが変わるように回転する回転装飾体が停止している場合に、回転装飾体の回転位置が、回転装飾体の自重によって変わることを抑制する遊技機が実現される。
【０００８】
また、第一回転位置で停止している回転装飾体に第一モーメントが作用する場合であっても、対向壁部が特定回転部に対して第二軸線側から接触することで、開口縁部の回転は阻止される。よって、第一回転位置にて停止している回転装飾体が、回転装飾体の自重に起因して第二回転位置へ回転することを、遊技機は更に確実に抑制できる。
【０００９】
前記遊技機において、前記固定部材は、前記回転装飾体を回転可能に支持してもよい。固定部材は、回転装飾体が第一回転位置にて停止している場合に特定回転部が回転することを阻止する機能と、回転装飾体を回転可能に支持する機能とを有する。上記二つの機能が一つの部材によって達成されるので、遊技機は小型化できる。
【００１０】
前記遊技機において、前記駆動源を支持する支持部材と、前記支持部材に設けられ、前記回転部を、前記第二軸線を中心に回転可能に支持する第一回転支持部と、前記固定部材に設けられ、前記第一回転支持部とは反対側から前記回転部を回転可能に支持する第二回転支持部とを備えてもよい。この場合、回転部は、第一回転支持部と第二回転支持部とによって支持される。駆動源の駆動に伴って、回転部が、第一回転位置と第二回転位置との間で回転装飾体を回転させる場合に、回転部に負荷が作用しても、回転部の回転は安定化する。
【００１１】
前記遊技機において、前記対向壁部は、前記回転部が回転する方向に延び、前記回転部が摺動してもよい。対向壁部が回転部の回転を案内するので、遊技機は、駆動源の駆動に伴う回転装飾体の回転を安定化できる。
【００１２】
前記遊技機において、前記対向壁部は、前記特定回転部に対して、前記第二軸線側から対向する第一対向壁部と、前記特定回転部に対して、前記第一対向壁部とは反対側から対向する第二対向壁部とを備えてもよい。この場合、第一回転位置から第二回転位置へ回転装飾体が回転する方向とは反対方向を向く力が、第一回転位置にて停止している回転装飾体に対して突発的に作用する場合、特定回転部は第二対向壁部に接触する。これにより、回転部の回転が阻止される結果、開口縁部の回転が阻止される。従って、回転装飾体は第一回転位置から回転しにくい。よって、第一回転位置で停止している回転装飾体は、外部から突発的な力が作用する場合であっても、回転しにくい。
【図面の簡単な説明】
【００１３】
【図１】パチンコ機１の正面図である。
【図２】遊技盤２の正面図である。
【図３】右演出装置４００の斜視図である。
【図４】固定部材４０９の図示を省略した右演出装置４００の斜視図である。
【図５】右演出装置４００を後側からみた斜視図である。
【図６】前支持部４０１の図示を省略した右演出装置４００を後側からみた背面斜視図である。
【図７】固定部材４０９、装飾部材３７０、及び前支持部４０１を省略した右演出装置４００の斜視図である。
【図８】第二装飾体４２０、第三装飾体４３０、及び第四装飾体４４０の斜視図である。
【図９】回転部材４８９近傍を後側からみた斜視図である。
【図１０】挿通部３８０の正面図である。
【図１１】第三装飾体４３０及び第四装飾体４４０の斜視図である。
【図１２】初期状態の左演出装置７００の正面図である。
【図１３】初期状態の左演出装置７００を後側からみた斜視図である。
【図１４】左固定部材７０９を省略した延設部７１５近傍の正面図である。
【図１５】支持部材７０５の図示を省略した初期状態にある左演出装置７００を後側からみた斜視図である。
【図１６】初期状態から演出状態に切り替わる右演出装置４００を前側からみた説明図である。
【図１７】第一待機位置から第一演出位置まで回転する第一装飾体４１０の説明図である。
【図１８】初期状態から演出状態に切り替わる右演出装置４００を後側からみた説明図である。
【図１９】支持部材７０５の図示を省略した演出状態にある左演出装置７００を後側からみた斜視図である。
【図２０】演出状態の左演出装置７００の正面図である。
【図２１】装飾部材３７０の図示を省略した第一装飾体の正面図である。
【発明を実施するための形態】
【００１４】
＜１．パチンコ機の構成＞
以下、本発明に係る遊技機の第一の実施形態であるパチンコ機１について、図面を参照して説明する。以下の説明では、図１の手前側、奥側、上側、下側、左側、及び右側を、それぞれ、パチンコ機１の前側、後側、上側、下側、左側、及び右側とする。
【００１５】
図１及び図２を参照して、パチンコ機１の機械的構成について説明する。図１に示すように、パチンコ機１の上半分の部分には遊技盤２が設けられている。遊技盤２は正面視略正方形の板状であり（図２参照）、透明なガラス板を保持した前面枠１０によって前面を保護されている。遊技盤２の下部には上皿５が設けられている。上皿５は、遊技球発射装置（図示略）に金属製の遊技球を供給し、且つ賞球を受ける。上皿５の上面には、遊技者によって操作される操作ボタン９が設けられている。上皿５の直下には、賞球を受ける下皿６が設けられている。下皿６の右横には、遊技球の発射を調整する発射ハンドル７が設けられている。発射ハンドル７は、遊技者が回転操作できるように設けられており、遊技者が発射ハンドル７を回転させて発射操作を行うと、発射ハンドル７の回転角度に応じた強度で、遊技球発射装置によって遊技球が発射される。前面枠１０の上部の左右の角には、スピーカ４８がそれぞれ設けられている。
【００１６】
図２に示すように、遊技盤２の前面には、ガイドレール３で囲まれた略円形の遊技領域４が形成されている。遊技球発射装置によって発射された遊技球は、ガイドレール３によって遊技領域４へ導かれ、遊技領域４内を流下する。遊技領域４の略中央には、各種演出を実行するセンター飾り８が設けられている。センター飾り８の略中央には、開口部８Ａが形成されている。開口部８Ａの下部には、透明な板状部材１８が前側から覆うように設けられる。センター飾り８は、表示装置２８、右演出装置４００、及び左演出装置７００を主に備える。表示装置２８は表示面２８Ａを有する。表示面２８Ａは、センター飾り８の開口部８Ａから前方に露出する。表示面２８Ａは、例えばＬＣＤ等によって構成され、前面の全ての領域を表示領域として、様々な映像を表示可能である。表示面２８Ａは、例えば、大当り判定の結果を報知する演出図柄を表示する。
【００１７】
右演出装置４００は、センター飾り８の右部に対して前側から取り付けられ、表示面２８Ａの前側に配置されている。左演出装置７００は、センター飾り８の左部に対して前側から取り付けられ、表示面２８Ａの前側に配置されている。右演出装置４００と左演出装置７００は、それぞれ、表示面２８Ａ及びスピーカ４８等と連動しながら、様々な演出を行う。
【００１８】
センター飾り８の略中央下方には、第一始動口１４が設けられている。第一始動口１４の下方には、第二大入賞口１７が設けられている。センター飾り８の右斜め下方には、普通図柄作動ゲート１２が設けられている。普通図柄作動ゲート１２の下方には、第二始動口１５が設けられている。第二始動口１５の左斜め下方には、第一大入賞口１６が設けられている。第二始動口１５、第一大入賞口１６及び第二大入賞口１７は、それぞれ開閉部材を備える。遊技球は、開閉部材が開放された場合にのみ、第二始動口１５、第一大入賞口１６及び第二大入賞口１７のそれぞれに入賞することができる。
【００１９】
遊技盤２の後面側には、主基板（図示外）、サブ基板（図示外）等が設けられている。主基板はパチンコ機１の主制御を司る。主基板には、各種の演算処理を実行するＣＰＵ、データを一時的に記憶するＲＡＭ、および制御プログラム等を記憶したＲＯＭが設けられている。サブ基板は、主基板と電気的に接続されている。サブ基板は、主基板と同様に、ＣＰＵ、ＲＡＭ、およびＲＯＭが設けられている。サブ基板は、主基板から送信されるコマンドに従って、右演出装置４００及び左演出装置７００等を動作させ、演出に関する総合的な制御を実行する。
【００２０】
＜２．右演出装置４００の構成＞
図３〜図１１を参照し、右演出装置４００の構成を説明する。はじめに、図３、図４を参照し、右演出装置４００の概略について説明する。右演出装置４００は、モータ４８０、第一装飾体４１０、第二装飾体４２０、第三装飾体４３０、及び第四装飾体４４０を備える。第一装飾体４１０、第二装飾体４２０、第三装飾体４３０、及び第四装飾体４４０は、いずれも、モータ４８０の駆動に伴って動作する。第二装飾体４２０、第三装飾体４３０、及び第四装飾体４４０は、互いに略同じタイミングで動作を開始する（図１６（ａ）、（ｂ）参照）。一方、第一装飾体４１０は、他の三つの装飾体に比べて遅いタイミングで、動作を開始する（図１６（ｂ）、（ｃ）参照）。
【００２１】
図３、図５に示すように、右演出装置４００は、支持体４０５を備える。支持体４０５は、センター飾り８（図２参照）の右部に前側から取り付けられる。支持体４０５は、前支持部４０１と後支持部４０４を備える。前支持部４０１は、上下方向に延びる箱状体であり、後方に向けて開口する。後支持部４０４は、略矩形状の板状部材であり、前支持部４０１の上部に後方から取り付けられる。
【００２２】
前支持部４０１の前部には、透明な樹脂材料によって形成される固定部材４０９（図３参照）が設けられる。固定部材４０９は、上下方向に延びる箱状であり、後方に向けて開口する。固定部材４０９は、前支持部４０１の上下方向中央部の左部を前方に露出させるように、前支持部４０１に取り付けられる。固定部材４０９の前壁部は、前支持部４０１に対して隙間を前方から空けて対向する。固定部材４０９の上部（以下、「上固定部４０９Ａ」という）は、前支持部４０１の上部を前側から覆う。
【００２３】
固定部材４０９の前壁部のうち、上固定部４０９Ａよりも下側の部位には、遮蔽部材４０８（図３参照）が設けられる。遮蔽部材４０８は、固定部材４０９を覆い隠す樹脂材料によって形成される。遮蔽部材４０８は、下遮蔽部４０８Ａと上遮蔽部４０８Ｂとを含む。下遮蔽部４０８Ａは、固定部材４０９の略下部を覆う正面視で矩形状である。上遮蔽部４０８Ｂは、下遮蔽部４０８Ａの右端部から上方に延びる。
【００２４】
図４に示すように、前支持部４０１の前面の上端部には、モータ４８０が設けられる。モータ４８０の出力軸は、前支持部４０１の前壁部を前後方向に貫通する。モータ４８０の出力軸に固定されたモータギヤは、前支持部４０１の前壁部と、後支持部４０４との間に位置する。
【００２５】
図７〜図９に示すように、モータ４８０のモータギヤは、連結ギヤ３９８（図９参照）に連結する。連結ギヤ３９８の左下部は、連結ギヤ３９２が連結する。連結ギヤ３９２は、回転中心から下側へ延びる扇状の腕部３９２Ａを有する。腕部３９２Ａの先端部には、開口部３９２Ｂが設けられる。開口部３９２Ｂは、腕部３９２Ａを前後方向に貫通する長穴を形成する。後述するように、開口部３９２Ｂには、第二装飾体４２０が連結する。
【００２６】
連結ギヤ３９８の左上部は、ギヤ３９９に連結する。ギヤ３９９の中心部には、前後方向に延びる回転軸４８７の後端部が固定される。回転軸４８７は、筒状部４０３（図４参照）に挿通されており、前支持部４０１よりも前側まで延びる。筒状部４０３は、前支持部４０１（図４参照）の上部と一体的に形成された、前後方向に延びる円筒状である。筒状部４０３は回転軸４８７を回転可能に支持する。回転軸４８７の前端部は、上固定部４０９Ａの前壁部の後面に形成された回転支持部４０９Ｃ（図６参照）によって回転可能に支持される。回転支持部４０９Ｃは、一例として、前方に向けて凹む円形状の凹部である。以下、回転軸４８７の軸線を「軸線４８７Ａ」という。軸線４８７Ａは、前後方向に延びる。回転軸４８７は、モータ４８０の回転駆動に伴って、軸線４８７Ａを中心に回転可能である。
【００２７】
図７、図９に示すように、回転軸４８７の前部には、回転部材４８９が固定される。回転部材４８９は、上固定部４０９Ａ（図３参照）の前壁部よりも後方に配置されている。回転部材４８９は、回転軸４８７と一体的に、軸線４８７Ａを中心に回転可能である。回転部材４８９は、軸線４８７Ａから離間する方向へ延びる腕部４８９Ａを有する。腕部４８９Ａの先端部には、可動部４９０が連結されている。可動部４９０は、回転部材４８９の回転に伴って、予め定められた可動領域を通過する。
【００２８】
図７に示すように、可動部４９０は、軸部材４９１と、軸受４９２とを備える。軸部材４９１は、回転部材４８９から前方へ突出する。軸部材４９１は、上固定部４０９Ａに設けられた後述の挿通部３８０（図１０参照）に挿通されており、固定部材４０９よりも前方に突出する。軸受４９２は、軸部材４９１の前端部に設けられ、上固定部４０９Ａよりも前方に位置する。軸受４９２は、前後方向に沿う筒状部４９２Ａを有する。筒状部４９２Ａは、挿通部３８０（図１０参照）に挿通される。筒状部４９２Ａの内側には、軸部材４９１が挿通される。後述のように、軸受４９２は、第一装飾体４１０に対して移動可能に連結する。
【００２９】
図１０に示すように、上固定部４０９Ａの前壁部には、挿通部３８０が設けられる。挿通部３８０は、上固定部４０９Ａの前壁部を前後方向に貫通する長穴を形成する開口部である。挿通部３８０は、軸線４８７Ａよりも下側且つ、後述の開口縁部４１６の下側に配置される。挿通部３８０は、軸線４８７Ａを中心として円弧状に延びる。挿通部３８０は、第一対向壁部３８１と第二対向壁部３８２を備える。第一対向壁部３８１と第二対向壁部３８２は、挿通部３８０が形成する長穴を挟んで互いに対向する。第一対向壁部３８１は、第二対向壁部３８２よりも軸線４８７Ａ側に位置する。第一対向壁部３８１と第二対向壁部３８２の正面視における反時計回り側の端部は、いずれも、軸線４８７Ａの真下となる位置よりも僅かに右側に位置する。第一対向壁部３８１と第二対向壁部３８２の正面視における時計回り側の端部は、いずれも、軸線４８７Ａの左方となる位置よりも僅かに上側に位置する。
【００３０】
図３、図７に示すように、上固定部４０９Ａの前側には、第一装飾体４１０が設けられる。第一装飾体４１０は、遮蔽部材４０８と略同じ前後方向位置に配置される。第一装飾体４１０は、軸部材４１８（図１０参照）によって回転可能に支持される。軸部材４１８は、挿通部３８０よりも左側で上固定部４０９Ａから前方へ突出する。軸部材４１８は、正面視で、表示面２８Ａ（図２参照）よりも右上側に位置する（図示略）以下、軸部材４１８の軸線を「軸線４１８Ａ」という。軸線４１８Ａは、前後方向に延びる。
【００３１】
図７に示すように、第一装飾体４１０は、装飾部４１２と延設部４１５を備える。本例では、装飾部４１２は、軸部材４１８（図１０参照）から、軸線４１８Ａを基準とした一の径方向へ向けて直線状に延びる。装飾部４１２は、遊技者によって視認可能である。延設部４１５は、軸部材４１８から、装飾部４１２とは反対方向に延びる。延設部４１５は、後述の装飾部材３７０（図３参照）によって覆われるため、遊技者から視認不能である。本例では、装飾部４１２の延設方向における長さ（寸法Ｌ１）は、延設部４１５の延設方向における長さ（寸法Ｌ２）に対して約４倍以上長い。従って、第一装飾体４１０の重心Ｇは、軸線４１８Ａに対して、延設部４１５とは反対側にある（図２１参照）。
【００３２】
延設部４１５には、開口縁部４１６が設けられる。開口縁部４１６は、延設部４１５を前後方向に貫通する長穴を形成する。開口縁部４１６は、一対の第一縁部分４１６Ａと、一対の第二縁部分４１６Ｂとを含む。一対の第一縁部分４１６Ａは、開口縁部４１６が形成する長穴を挟んで対向する。第一縁部分４１６Ａは、軸線４８７Ａを中心とした回転方向に円弧状に延びる。一対の第二縁部分４１６Ｂは、それぞれ、一対の第一縁部分４１６Ａの左端部から直線状に延びる。一対の第二縁部分４１６Ｂは、開口縁部４１６が形成する長穴を挟んで対向する。
【００３３】
図７で示される一対の第一縁部分４１６Ａは、いずれも、軸受４９２の筒状部４９２Ａの可動領域から退避している。「第一縁部分４１６Ａが筒状部４９２Ａの可動領域から退避する」には、第一縁部分４１６Ａが筒状部４９２Ａの可動領域から離間（退出）する場合と、第一縁部分４１６Ａが筒状部４９２Ａの可動領域の端に接する場合とが含まれる。また、第二縁部分４１６Ｂの少なくとも一部は、筒状部４９２Ａの可動領域に進入している。
【００３４】
以下、開口縁部４１６と可動部４９０を総称して、「伝達機構４５０」という。伝達機構４５０は、回転部材４８９の回転移動力を、第一装飾体４１０に伝達可能な機構である。回転部材４８９の回転移動力を伝達された第一装飾体４１０は、軸線４１８Ａを中心に、第一待機位置（図７、図１６（ａ）参照）と、第一演出位置（図１６（ｃ）参照）との間を回転可能である。第一待機位置は、装飾部４１２が軸部材４１８から左方に延びる第一装飾体４１０の回転位置である。第一待機位置にある第一装飾体４１０は、正面視において、表示面２８Ａの上端部の右部に対して上方から近接する（図１参照）。この場合、第一装飾体４１０は、左右方向に延びる（図１参照）。第一演出位置は、装飾部４１２が軸部材４１８から左下方に延びる第一装飾体４１０の回転位置である。第一装飾体４１０が第一演出位置にある場合、装飾部４１２は、表示面２８Ａの前方に位置する（図２参照）。第一装飾体４１０が第一演出位置にある場合、第一待機位置にある場合に比べ、第一装飾体４１０の重心Ｇは、低い位置にある（図１６（ａ）、（ｃ）参照）。また、第一装飾体４１０が第一待機位置にある場合における、開口縁部４１６の一対の第一縁部分４１６Ａの配置位置を「第一位置」（図７参照）といい、第一装飾体４１０が第一演出位置にある場合における、一対の第一縁部分４１６Ａの配置位置を「第二位置」（図１７（ｃ）参照）という。一対の第一縁部分４１６Ａが第一位置と第二位置との間を移動する場合に通過する領域は、上述した筒状部４９２Ａの可動領域から離間する。
【００３５】
尚、図７に示すように、第一装飾体４１０が第一待機位置にある場合、可動部４９０の軸受４９２は、一対の第一縁部分４１６Ａの間に位置する。また、第一装飾体４１０が第一待機位置にある場合、軸受４９２の筒状部４９２Ａは、第一対向壁部３８１と第二対向壁部３８２の正面視で反時計回り側の端部の間に位置する（図２１参照）。言い換えると、第一対向壁部３８１は、特定可動部４９０に対して、軸線４８７Ａ側から対向し、第二対向壁部３８２は、特定可動部４９０に対して、軸線４８７Ａとは反対側から対向する。特定可動部４９０は、第一装飾体４１０が第一待機位置にある場合における可動部４９０である。また、図９に示すように、第一装飾体４１０が第一待機位置にある場合、回転部材４８９の腕部４８９Ａは、軸線４８７Ａから下方に延びる（図９参照）。
【００３６】
図９に示すように、第一装飾体４１０の装飾部４１２の右部には、開口部４１９が設けられる。開口部４１９は、装飾部４１２を前後方向に貫通する長穴を形成する。開口部４１９には、軸受３７８が摺動可能に嵌っている。軸受３７８は、装飾部材３７０に固定されている。装飾部材３７０は、第一装飾体４１０の延設部４１５を前側から覆う板状部材である。本例の装飾部材３７０は、非透光性の樹脂材料から形成される。従って、第一装飾体４１０の延設部４１５は、装飾部材３７０によって、前方から視認不能となる。
【００３７】
装飾部材３７０は、支持軸３７２によって回転可能に支持される。支持軸３７２は、上固定部４０９Ａのうち、開口縁部４１６よりも下側の部位から前方に突出する。支持軸３７２は、第一装飾体４１０の延設部４１５の可動領域よりも下側にある。開口部４１９が第一装飾体４１０と一体的に回転しながら軸受３７８を付勢することで、装飾部材３７０は支持軸３７２を中心に回転可能である。
【００３８】
尚、装飾部材３７０の重量は、第一装飾体４１０の重量に比べて著しく軽い。従って、第一装飾体４１０と装飾部材３７０を一体の部材とみなした場合の重心は、第一装飾体４１０の重心Ｇ（図２１参照）に近接しており、軸線４１８Ａに対して延設部４１５とは反対側に位置する。以下、説明の便宜上、第一装飾体４１０と装飾部材３７０を一体の部材とみなした場合の重心は、重心Ｇと一致するものとする。
【００３９】
図４、図７に示すように、前支持部４０１のうち、回転軸４８７よりも左側の部位には、支持軸４８２が設けられる。支持軸４８２は、前支持部４０１から前方へ延びる。支持軸４８２の前部には、第二装飾体４２０が回転可能に支持される。第二装飾体４２０は、第一装飾体４１０よりも後方となる前後方向位置に配置される。第二装飾体４２０は、支持軸４８２から下側へ向けて延びる、正面視で略矩形状の板状部材である。第二装飾体４２０の上部は、上固定部４０９Ａによって、前側から覆われている。第二装飾体４２０の下部は、上遮蔽部４０８Ｂの左側に配置され、前方に向けて露出する。
【００４０】
図８に示すように、第二装飾体４２０の上部の後面には、連結部４２２が設けられる。本例の連結部４２２は、第二装飾体４２０から後方に突出するように設けられた軸受である。連結部４２２は、上述した連結ギヤ３９２の開口部３９２Ｂに摺動可能に嵌る。従って、連結ギヤ３９２が回転することで、開口部３９２Ｂは、連結部４２２を介して、第二装飾体４２０を付勢できる。これにより、第二装飾体４２０は、支持軸４８２を中心に回転できる。尚、連結部４２２は、ガイド穴４０６（図４参照）に挿通されている。ガイド穴４０６は、前支持部４０１の上下方向略中央部を前後方向に貫通しており、支持軸４８２を中心とした回転方向に延びる。ガイド穴４０６は、連結部４２２が回転するのを案内する。
【００４１】
第二装飾体４２０の下端部には、下開口部４２７が設けられる。下開口部４２７は、第二装飾体４２０の下端部を前後方向に貫通する長穴を形成する。下開口部４７２には、第三装飾体４３０が連結する。第三装飾体４３０は、第二装飾体４２０よりも前側、且つ下遮蔽部４０８Ａよりも後側となる前後方向位置に配置される。第三装飾体４３０は、下開口部４２７から左下方に延び、更に右下方に向け湾曲して延びる板状部材である。第三装飾体４３０の上端部には、後方に向けて突出する軸部４３３が設けられる。軸部４３３が下開口部４２７に摺動可能に嵌ることで、第三装飾体４３０は第二装飾体４２０に連結される。
【００４２】
第三装飾体４３０の下端部には、二つの摺動連結部４３７が設けられる。二つの摺動連結部４３７は、第三装飾体４３０から後方に突出する。二つの摺動連結部４３７は、ガイド穴４０７（図５参照）に摺動可能に嵌る。ガイド穴４０７は、前支持部４０１の下端部を前後方向に貫通する穴であり、右下方から左上方へ直線状に延びる。第二装飾体４２０の回転に伴って、下開口部４７２が軸部４３３を付勢することによって、第三装飾体４３０は、摺動連結部４３７をガイド穴４０７に摺動させながら移動できる。つまり、第三装飾体４３０は、第二装飾体４２０の回転に連動して移動できる。
【００４３】
図１１に示すように、第三装飾体４３０の下部の前面には、下連結部４３５が設けられる。下連結部４３５は、第三装飾体４３０から前方へ突出する。下連結部４３５は、第四装飾体４４０に連結する。第四装飾体４４０は、第三装飾体４３０と下遮蔽部４０８Ａとの間に配置された、上下方向に長い板状部材である。
【００４４】
第四装飾体４４０は、装飾体連結部４４４、回転支持部４４９、及び可動装飾部４４８を備える。装飾体連結部４４４は、第四装飾体４４０の上下方向の中央部に設けられる。本例の装飾体連結部４４４は長穴を形成する開口部である。装飾体連結部４４４が形成する長穴は、第四装飾体４４０を前後方向に貫通する。装飾体連結部４４４には、第三装飾体４３０の下連結部４３５が摺動可能に嵌る。これにより、第四装飾体４４０は、第三装飾体４３０に対して移動可能に連結する。
【００４５】
回転支持部４４９は、第四装飾体４４０の下端部に設けられる。回転支持部４４９は、一例として、前後方向を向く丸穴を形成する開口部である。回転支持部４４９が形成する丸穴には、軸部４０２（図４、図６参照）が挿通される。軸部４０２は、前支持部４０１の下端部から前方に延びる軸部材である。回転支持部４４９は、軸部４０２によって回転可能に支持される。従って、第三装飾体４３０の移動に伴って、下連結部４３５が装飾体連結部４４４を付勢することによって、第四装飾体４４０は、軸部４０２を中心に回転できる。つまり、第四装飾体４４０は、第三装飾体４３０の移動に連動して回転できる。可動装飾部４４８は、装飾体連結部４４４から、回転支持部４４９とは反対側（即ち上側）へ延びる。
【００４６】
上記構成を有する第二装飾体４２０、第三装飾体４３０、及び第四装飾体４４０は、モータ４８０の駆動に伴って、所定の範囲で移動可能である。第二装飾体４２０は、支持軸４８２を中心に、第二待機位置（図３）と、第二演出位置（図１６（ｃ）参照）との間を、第二中間位置（図１６（ｂ）参照）を経由して回転する。第二待機位置は、上遮蔽部４０８Ｂに対して左方から近接する第二装飾体４２０の回転位置である。第二待機位置にある第二装飾体４２０は、表示面２８Ａよりも右側に位置する（図１参照）第二演出位置は、上遮蔽部４０８Ｂから左方へ離隔する第二装飾体４２０の回転位置である。第二装飾体４２０が第二演出位置にある場合、第二装飾体４２０の下部は、表示面２８Ａの前方に位置する（図２参照）。第二装飾体４２０は、第二待機位置から、正面視で時計回りに回転することで、第二演出位置まで回転する。第二中間位置は、第二待機位置から正面視で時計回りに僅かに回転した第二装飾体４２０の回転位置である。第二装飾体４２０が第二中間位置にある場合、第二装飾体４２０の左端部にある僅かな部分が、表示面２８Ａの前方に位置する（図示略）。
【００４７】
第二装飾体４２０の回転に伴って、第三装飾体４３０は、第三待機位置（図３参照）と第三演出位置（図１６（ｃ）参照）との間を、第三中間位置を（図１６（ｂ）参照）を経由して移動可能である。第三待機位置は、下遮蔽部４０８Ａの後方に位置する第三装飾体４３０の配置位置である。第三装飾体４３０が第三待機位置にある場合、第三装飾体４３０の上端部を除いた部分は、下遮蔽部４０８Ａによって遮られ、前方から視認不能となる（図１６（ａ）参照）。第三演出位置は、下遮蔽部４０８Ａよりも正面視で左側にある第三装飾体４３０の配置位置である。第三演出位置にある第三装飾体４３０は、表示面２８Ａの前方に位置する（図１６（ｃ）参照）。第三中間位置は、第三待機位置から左側に僅かに移動した第三装飾体４３０の配置位置である。第三装飾体４３０が第三中間位置にある場合、第三装飾体４３０の延設方向の中央部は、表示面２８Ａの前方に位置する（図示略）。
【００４８】
第三装飾体４３０の回転に伴って、第四装飾体４４０は、第四待機位置（図３参照）と第四演出位置（図１６（ｃ）参照）との間を、第四中間位置を（図１６（ｂ）参照）を経由して回転可能である。第四待機位置は、下遮蔽部４０８Ａの後方に位置する第四装飾体４４０の回転位置である。第四装飾体４４０が第四待機位置にある場合、第四装飾体４４０は、下遮蔽部４０８Ａによって遮られ、前方から視認不能となる（図１６（ａ）参照）。第四演出位置は、下遮蔽部４０８Ａよりも正面視で左側にある第四装飾体４４０の回転位置である。第四演出位置にある第四装飾体４４０は、可動装飾部４４８を表示面２８Ａの前方に位置させて（図１６（ｃ）参照）、外部から視認可能とさせる（図２参照）。第四中間位置は、第四待機位置から、正面視で反時計回りに僅かに回転した第四装飾体４４０の回転位置である。第四装飾体４４０が第四中間位置にある場合、第四装飾体４４０の上端部が、下遮蔽部４０８Ａよりも左側へ移動し、表示面２８Ａと正面視で重なる（図示略）。
【００４９】
尚、第二装飾体４２０が第二待機位置に位置する場合、第三装飾体４３０と第四装飾体４４０は、それぞれ、第三待機位置と第四待機位置に位置する。また、第二装飾体４２０が第二演出位置に位置する場合、第三装飾体４３０と第四装飾体４４０は、それぞれ、第三演出位置と第四演出位置に位置する。同様に、第二装飾体４２０が第二中間位置に位置する場合、第三装飾体４３０と第四装飾体４４０は、それぞれ、第三中間位置と第四中間位置に位置する。
【００５０】
また、第二待機位置にある第二装飾体４２０、第三待機位置にある第三装飾体４３０、及び第四待機位置にある第四装飾体４４０は、正面視で、表示面２８Ａの右端部に沿って延びる一つの装飾体であるかの如く見える（図１参照）。
【００５１】
＜３．左演出装置７００の構成＞
図１２〜図１５を参照し、左演出装置７００について説明する。はじめに、図１２、図１３を参照し、左演出装置７００の概略について説明する。左演出装置７００は、モータ７８０、第一可動装飾体７１０、第二可動装飾体７２０、第三可動装飾体７３０、及び第四可動装飾体７４０を備える。第一可動装飾体７１０、第二可動装飾体７２０、第三可動装飾体７３０、及び第四可動装飾体７４０は、いずれも、モータ７８０の駆動力によって、略同じタイミングで動作を開始する。
【００５２】
図１２、図１３に示すように、左演出装置７００は、支持部材７０５を備える。支持部材７０５は、センター飾り８（図２参照）の左部に前側から取り付けられる。支持部材７０５は、前支持部７０１と後支持部７０４を備える。前支持部７０１は、上下方向に延びる箱状体であり、後方に向けて開口する。後支持部４０４は、略矩形状の板状部材であり、前支持部４０１の上部に後方から取り付けられる。前支持部４０１と、前支持部７０１の前壁部とは、隙間を空けて対向する。前支持部７０１の前面の上部には、透明な樹脂部材によって形成される左固定部材７０９が設けられる。左固定部材７０９は、正面視で略正方形状の箱状体であり、後方に向けて開口する。
【００５３】
図１３、図１５に示すように、後支持部７０４の上部には、モータ７８０が設けられる。モータ７８０の出力軸は、後支持部７０４を前後方向に貫通する。モータ７８０の出力軸の後端部に固定されたモータギヤは、後支持部７０４と前支持部７０１の前壁部の間に配置される。
【００５４】
モータ７８０のモータギヤは、連結ギヤ６８０に、他のギヤを介して連結する。連結ギヤ６８０の右下部は、ギヤ６７７を介して回転部材６７５のギヤ部に連結する。回転部材６７５は、前後方向に延びる回転軸６７６によって支持される。回転軸６７６は、前支持部７０１の前壁部を貫通して前方へ突出する。回転軸６７６はギヤ６７７と一体的に回転可能である。連結ギヤ６８０の右上部は、伝達ギヤ６８２に連結する。伝達ギヤ６８２は、前後方向に延びる軸部材６８３を介して、回転体６８４に連結する。軸部材６８３は、前支持部７０１の前壁部を貫通して、左固定部材７０９（図１２参照）の内側に進入する。
【００５５】
軸部材６８３の前端部には、回転体６８４が設けられる。回転体６８４は、軸部材６８３と一体的に回転可能である。回転体６８４は、軸部材６８３から、軸部材６８３と直交する方向へ延びる。回転体６８４の先端部には、軸受６８９が固定される。軸受６８９は、回転体６８４の先端部から前方へ突出するように設けられる。後述するように、軸受６８９は、第一可動装飾体７１０に連結する。
【００５６】
図１５に示すように、第一可動装飾体７１０は、前後方向と直交する方向に延びる装飾体である。第一可動装飾体７１０は、支持部７１１、装飾部７１２、及び延設部７１５を備える。支持部７１１は、背面視で円形状に形成された、前方に向けて凹む凹部である。支持部７１１は、回転支持軸（図示略）によって回転可能に支持される。回転支持軸は、前支持部７０１の右端部の上部から左方に突出する壁部７０１Ａ（図１３参照）から、前方に向けて延びる。
【００５７】
装飾部７１２は、支持部７１１から右側へ延びる。装飾部７１２は、前方から視認可能である。延設部７１５は、支持部７１１よりも左側に設けられる。延設部７１５には、開口部７１６が設けられる。開口部７１６は、延設部７１５を前後方向に貫通する長穴を形成する。
【００５８】
開口部７１６の内側には、軸受６８９が摺動可能に嵌っている。従って、回転体６８４の回転に伴って、軸受６８９が開口部７１６に対して摺動することによって、第一可動装飾体７１０は、支持部７１１を中心に回転可能である。
【００５９】
第一可動装飾体７１０は、第一退避位置（図１５参照）と、第一作動位置（図１９参照）との間を回転可能である。第一退避位置は、左右方向に延びる第一可動装飾体７１０の回転位置である。第一退避位置にある第一可動装飾体７１０は、正面視において、表示面２８Ａのうちで上端部の左部に対して上方から近接する（図１参照）。この場合、第一可動装飾体７１０は左右方向に延びる（図１参照）。また、第一可動装飾体７１０が第一退避位置にある場合、軸受６８９（図１４参照）は、軸部材６８３の略下方となる位置にて、開口部７１６の左端部に接触する。第一作動位置は、左上方から右下方に延びる第一可動装飾体７１０の回転位置である。第一可動装飾体７１０が第一作動位置にある場合、装飾部７１２は、表示面２８Ａの前方に位置する（図２参照）。
【００６０】
尚、第一退避位置にある第一可動装飾体７１０は、第一待機位置にある第一装飾体４１０に対して左方から近接する（図１参照）。従って、第一退避位置にある第一可動装飾体７１０と、第一待機位置にある第一装飾体４１０は、左右方向に延びる一つの装飾体であるが如く見える。また、第一退避位置にある第一可動装飾体７１０と、第一待機位置にある第一装飾体４１０は、正面視で略左右対称である。同様に、第一作動位置にある第一可動装飾体７１０と、第一演出位置にある第一装飾体４１０は、正面視で略左右対称である（図２参照）。
【００６１】
図１３、図１５に示すように、第一可動装飾体７１０の延設部７１５の前方には、装飾部材７６５が設けられる。装飾部材７６５は、延設部７１５を前側から覆う板状部材であり、非透光性の樹脂材料から形成される。従って、延設部７１５は、装飾部材７６５によって、前方から視認不能となる。装飾部材７６５は、支軸７６５Ａによって回転可能に支持される。支軸７６５Ａは、左固定部材７０９（図１２参照）の右下部から前方に向け延びる。支軸７６５Ａは、支持部７１１に対して左下方に配置される。
【００６２】
図１３に示すように、装飾部材７６５は、連結構造６０１を介して第一可動装飾体７１０の装飾部７１２に連結する。本例の連結構造６０１は、装飾部７１２を前後方向に貫通する長穴を形成する開口部と、装飾部材７６５の後部に設けられ且つ開口部に対して摺動可能に連結する軸受とから構成される。第一可動装飾体７１０の回転の回転力は、連結構造６０１を介して装飾部材７６５に伝達される。これにより、装飾部材７６５は、第一可動装飾体７１０の回転に連動して、支軸７６５Ａを中心に回転可能である。
【００６３】
図１５に示すように、上述した回転軸６７６の前端部には、第二可動装飾体７２０が支持される。第二可動装飾体７２０は、前支持部７０１よりも前側、且つ第一可動装飾体７１０よりも後側となる前後方向位置に配置される。第二可動装飾体７２０は、回転軸６７６から下側へ延びる板状部材である。
【００６４】
第二可動装飾体７２０の下端部は、第三可動装飾体７３０に連結する。第三可動装飾体７３０は、第二可動装飾体７２０から下側へ延び、更に左側へ折れ曲がる板状部材である。第三可動装飾体７３０は、第二可動装飾体７２０と略同じ前後方向位置に配置される。第三可動装飾体７３０の左端部の後面には、二つの摺動部材７３７が設けられる。二つの摺動部材７３７は、前支持部７０１の前壁部の下部に設けられたガイド穴７０８（図１３参照）に、摺動可能に嵌る。ガイド穴７０８は、右上方から左下方に向けて直線状に延びる。
【００６５】
第二可動装飾体７２０と第三可動装飾体７３０は、連結構造６０３を介して連結する。本例の連結構造６０３は、第二可動装飾体７２０の下端部を前後方向に貫通する長穴を形成する開口部と、第三可動装飾体７３０の上端部から後方に突出するように設けられ、且つ開口部に摺動可能に嵌る軸受とから構成される。第二可動装飾体７２０の回転の回転力が、連結構造６０３を介して第三可動装飾体７３０に伝達されることで、第三可動装飾体７３０は、摺動部材７３７をガイド穴７０８に沿わせながら、移動する。
【００６６】
第三可動装飾体７３０の右下部は、第四可動装飾体７４０に連結する。第四可動装飾体７４０は、第三可動装飾体７３０よりも前側で、略上下方向に延びる板状部材である。第四可動装飾体７４０の上端部は、第三可動装飾体７３０の右下部を前側から覆う。第四可動装飾体７４０の下端部は、前後方向に延びる軸部７４９を介して、前支持部７０１の下端部によって回転可能に支持される。
【００６７】
第三可動装飾体７３０と第四可動装飾体７４０は、連結構造６０４を介して連結する。本例の連結構造６０４は、第三可動装飾体７３０の右下部を前後方向に貫通する長穴を形成する開口部と、第四可動装飾体７４０の上部から後方に突出するように設けられ、且つ開口部に対して摺動可能に嵌る軸受とから構成される。第三可動装飾体７３０の移動力が、連結構造６０４を介して第四可動装飾体７４０に伝達されることで、第四可動装飾体７４０は、軸部７４９を中心に回転可能である。
【００６８】
上記構成を有する第二可動装飾体７２０、第三可動装飾体７３０、及び第四可動装飾体７４０は、モータ７８０の駆動に伴って、所定の範囲で変位可能である。第二可動装飾体７２０は、第二退避位置（図１２参照）と、第二作動位置（図２０参照）との間を回転可能である。第二退避位置は、回転軸６７６（図１５参照）から下方に延びる第二可動装飾体７２０の回転位置である。第二退避位置にある第二可動装飾体７２０は、正面視で表示面２８Ａから左方に退避する（図１参照）
【００６９】
第二可動装飾体７２０の回転に連動して、第三可動装飾体７３０は、第三退避位置（図１２参照）と、第三作動位置（図２０参照）との間を移動可能である。第三退避位置は、正面視で表示面２８Ａから左方に退避する第三可動装飾体７３０の配置位置である。第三作動位置は、表示面２８Ａの前方に位置する第三可動装飾体７３０の配置位置である。
【００７０】
第三可動装飾体７３０の移動に連動して、第四可動装飾体７４０は、第四退避位置（図１２参照）と、第四作動位置（図２０参照）との間を回転可能である。第四退避位置は、正面視で表示面２８Ａから左方に退避する第四可動装飾体７４０の配置位置である。第四作動位置は、表示面２８Ａの前方に位置する第四可動装飾体７４０の配置位置である。
【００７１】
尚、第一可動装飾体７１０が第一退避位置に位置する場合、第二可動装飾体７２０、第三可動装飾体７３０、及び第四可動装飾体７４０は、それぞれ、第二退避位置、第三退避位置、及び第四退避位置に位置する。第一可動装飾体７１０が第一作動位置に位置する場合、第二可動装飾体７２０、第三可動装飾体７３０、及び第四可動装飾体７４０は、それぞれ、第二作動位置、第三作動位置、及び第四作動位置に位置する。
【００７２】
また、第二退避位置にある第二可動装飾体７２０、第三退避位置にある第三可動装飾体７３０、及び第四退避位置にある第四可動装飾体７４０は、正面視で、表示面２８Ａの左端部に沿って延びる一つの装飾体であるかの如く見える（図１参照）。
【００７３】
＜４．右演出装置４００の動作＞
図７、図１６〜図１８を参照し、右演出装置４００の動作について説明する。尚、図１６（ａ）、図１７（ａ）、及び図１８（ａ）の右演出装置４００の状態は、いずれも同じ状態である。また、図１６（ｂ）、図１７（ｂ）、及び図１８（ｂ）の右演出装置４００の状態は、いずれも同じ状態である。同様に、図１６（ｃ）、図１７（ｃ）、及び図１８（ｃ）の右演出装置４００の状態は、いずれも同じ状態である。
【００７４】
動作前の右演出装置４００は、初期状態（図１６（ａ）参照）であるとする。右演出装置４００が初期状態である場合、第一装飾体４１０、第二装飾体４２０、第三装飾体４３０、及び第四装飾体４４０は、それぞれ、第一待機位置、第二待機位置、第三待機位置、及び第四待機位置に位置する。
【００７５】
図１８（ａ）に示すように、モータ４８０は第一方向に回転駆動する。第一方向は、モータギヤを背面視で反時計回りに回転させるようにモータ４８０が回転駆動する方向である。モータ４８０の駆動力が、連結ギヤ３９８及びギヤ３９９を順に伝って回転軸４８７に伝達し、回転部材４８９は、軸線４８７Ａ（図７参照）を中心に背面視で反時計回りに回転する（矢印Ａ方向）。
【００７６】
図１７（ａ）、（ｂ）に示すように、軸受４９２の筒状部４９２Ａ（図７参照）は、挿通部３８０の第一対向壁部３８１及び第二対向壁部３８２に対して摺動しながら回転する。同時に、筒状部４９２Ａは、一対の第一縁部分４１６Ａに沿って摺動する。しかしながら、第一縁部分４１６Ａが筒状部４９２Ａの可動領域から退避しているので、軸受４９２の回転力は、開口縁部４１６に伝達されない。即ち、右演出装置４００が動作を開始してから所定時間の間、伝達機構４５０（図１８参照）は、回転部材４８９（図１８参照）の回転移動力が、可動部４９０（図７参照）から開口縁部４１６に伝達するのを規制する規制状態となる。伝達機構４５０（図１８参照）が規制状態にあるので、モータ４８０が回転駆動しても、第一装飾体４１０は第一退避位置にある状態を維持する（図１６（ａ）、（ｂ）参照）。
【００７７】
図１８（ａ）、（ｂ）に示すように、モータ４８０の駆動力は、回転軸４８７に伝達されると同時に、連結ギヤ３９８，３９２、及び開口部３９２Ｂを順に伝って、第二装飾体４２０に伝達される。これにより、第二装飾体４２０、第三装飾体４３０、及び第四装飾体４４０は、連動して動作する。第一装飾体４１０が第一退避位置にある間、第二装飾体４２０、第三装飾体４３０、及び第四装飾体４４０は、それぞれ、第二中間位置、第三中間位置、及び第四中間位置まで変位する。
【００７８】
以下、第一装飾体４１０、第二装飾体４２０、第三装飾体４３０、及び第四装飾体４４０が、それぞれ、第一退避位置、第二中間位置、第三中間位置、及び第四中間位置にある右演出装置４００の状態を、「中間状態」（図１６（ｂ）参照）という。
【００７９】
図１７（ｂ）、（ｃ）に示すように、回転部材４８９（図７参照）が更に回転することによって、筒状部４９２Ａは、第一対向壁部３８１と第二対向壁部３８２とに対して摺動しながら、一対の第二縁部分４１６Ｂのうち上側にある第二縁部分４１６Ｂに対して接触し更に上側へ付勢する。第一装飾体４１０は、正面視で時計回り（矢印Ｋ方向）に回転させられる。即ち、伝達機構４５０（図１８参照）は、回転部材４８９（図７参照）の回転移動力が、可動部４９０（図７参照）から開口縁部４１６に伝達するのを許容する許容状態となる。第一装飾体４１０が第一待機位置から第一演出位置に向けて回転することで、第一装飾体４１０の重心Ｇは下方に変位する（図１６（ｂ）、（ｃ）参照）。開口縁部４１６の一対の第一縁部分４１６Ａは、第一位置から第二位置に向けて移動する。
【００８０】
第一装飾体４１０の回転に伴って、開口部４１９が軸受３７８を下側へ付勢する（図１７（ｂ）、（ｃ）参照）。これにより、装飾部材３７０は、正面視で反時計回りに回転する（図１６（ｂ）、（ｃ）参照）。つまり、第一装飾体４１０は、装飾部材３７０を従動させながら、第一演出位置に向けて回転する。
【００８１】
図１８（ｂ）、（ｃ）に示すように、伝達機構４５０が規制状態から許容状態に切り替わった後も、モータ４８０の駆動力は、第二装飾体４２０に伝達される。これにより、第二装飾体４２０、第三装飾体４３０、及び第四装飾体４４０は、継続して動作する。第一装飾体４１０が第一演出位置まで移動したとき、第二装飾体４２０、第三装飾体４３０、及び第四装飾体４４０は、それぞれ、第二演出位置、第三演出位置、及び第四演出位置まで変位する（図１６（ｃ）参照）。モータ４８０は、回転駆動を停止する。このとき、一対の第一縁部分４１６Ａは、第二位置にて停止する。
【００８２】
以下、第一装飾体４１０、第二装飾体４２０、第三装飾体４３０、及び第四装飾体４４０が、それぞれ、第一演出位置、第二演出位置、第三演出位置、及び第四演出位置にある右演出装置４００の状態を、「演出状態」という。右演出装置４００が演出状態になった後、モータ４８０は、第一方向とは反対の第二方向に回転駆動する。これにより、演出状態にある右演出装置４００は、中間状態、及び初期状態に順に切り替わり、モータ４８０は第二方向への回転駆動を停止する。右演出装置４００は、動作を停止する。
【００８３】
尚、右演出装置４００は、初期状態から演出状態まで変化しなくてもよい。右演出装置４００は、例えば、初期状態から中間状態まで変化した後に、演出状態に切り替わることなく初期状態に戻ってもよい。この場合、右演出装置４００が中間状態になった後に、モータ４８０は、回転駆動する方向を第一方向から第二方向に切り替える。第一装飾体４１０は第一待機位置で静止した状態を維持する一方、第二装飾体４２０、第三装飾体４３０、及び第四装飾体４４０は動作する。右演出装置４００の状態が初期状態と演出状態とに繰り返し切り替わることで、第二装飾体４２０は、第二待機位置と第二中間位置との間を往復回転し、第三装飾体４３０は、第三待機位置と第三中間位置との間を往復移動し、第四装飾体４４０は、第四待機位置と第四中間位置との間を往復回転する。本例では、パチンコ機１の演出内容（例えば、リーチ演出、大当たり遊技中の演出等）に応じて、右演出装置４００は、初期状態から中間状態までしか切り替わらない動作と、初期状態から演出状態まで切り替わる動作との何れかを実行する。これにより、右演出装置４００は、装飾体の動作態様を多様化できる。
【００８４】
＜５．左演出装置７００の動作＞
図１２、図１５〜図２０を参照し、左演出装置７００の動作を説明する。動作前の左演出装置７００は、初期状態（図１２参照）であるとする。左演出装置７００が初期状態である場合、第一可動装飾体７１０、第二可動装飾体７２０、第三可動装飾体７３０、及び第四可動装飾体７４０は、それぞれ、第一退避位置、第二退避位置、第三退避位置、及び第四退避位置にある。
【００８５】
モータ７８０は第三方向に回転駆動する。第三方向は、モータギヤを背面視で反時計回りに回転させるようにモータ７８０が回転駆動する方向である。モータ７８０の駆動力が、連結ギヤ６８０、伝達ギヤ６８２、軸部材６８３、及び回転体６８４を順に伝わる。回転体６８４は、背面視で時計回りに回転する。これにより、軸受６８９（図１４参照）は、軸部材６８３を中心に正面視で反時計回りに回転しながら、開口部７１６に対して摺動する。軸受６８９は、延設部７１５に対して右側へ相対移動する。これにより、第一可動装飾体７１０は、支持部７１１を中心に、背面視で時計回り（矢印Ｎ方向）に回転する。第一可動装飾体７１０が回転することで、装飾部材７６５は、支軸７６５Ａを中心に、背面視で時計回りに回転する。
【００８６】
モータ７８０の駆動力は、回転体６８４に伝わると同時に、ギヤ６７７を介して、回転部材６７５に伝わる。回転部材６７５は、回転軸６７６と一体的に、背面視で時計回りに回転する。これにより、第二退避位置にある第二可動装飾体７２０は、回転軸６７６を中心に背面視で時計回りに回転する。第二可動装飾体７２０の回転に連動して、第三可動装飾体７３０は、第三退避位置から第三作動位置に向けて移動し、第四可動装飾体７４０は、第四退避位置から第四作動位置に向けて回転する。
【００８７】
第一可動装飾体７１０が第一作動位置まで回転したとき（図１９、図２０参照）、第二可動装飾体７２０、第三可動装飾体７３０、及び第四可動装飾体７４０は、それぞれ、第二作動位置、第三作動位置、及び第四作動位置まで変位する。その後、モータ７８０は回転駆動を停止する。以下、第一可動装飾体７１０、第二可動装飾体７２０、第三可動装飾体７３０、及び第四可動装飾体７４０が、それぞれ、第一作動位置、第二作動位置、第三作動位置、及び第四作動位置にある左演出装置７００の状態を「演出状態」という。
【００８８】
左演出装置７００が演出状態になった後、モータ７８０は、第三方向とは反対の第四方向に回転駆動する。これにより、左演出装置７００は、演出状態から初期状態に切り替わる。
【００８９】
＜６．右演出装置４００と左演出装置７００との連動態様＞
以下、図１及び図２を参照し、右演出装置４００と左演出装置７００との連動態様の一例を説明する。パチンコ機１は、右演出装置４００と左演出装置７００とを、それぞれ、同時に動作させる。そして、パチンコ機１は、右演出装置４００と左演出装置７００とを、同時に、初期状態から演出状態に切り替える。この場合、第一装飾体４１０、第二装飾体４２０、第三装飾体４３０、及び第四装飾体４４０と、第一可動装飾体７１０、第二可動装飾体７２０、第三可動装飾体７３０、及び第四可動装飾体７４０との、八つの装飾体が、それぞれ、表示面２８Ａから正面視で退避する位置から、表示面２８Ａと前後方向に重なる位置まで変位する。上記の八つの装飾体が変位しつつ、前方から視認可能な表示面２８Ａの面積が急激に低下するので、パチンコ機１は、装飾体を動作させる演出効果を向上できる。
【００９０】
＜７．待機状態における右演出装置４００＞
図７、図２１を参照し、右演出装置４００が待機状態にある場合の第一装飾体４１０を説明する。第一装飾体４１０が第一待機位置で停止している場合、第一装飾体４１０の自重に起因して、第一装飾体４１０には第一モーメント（図示略）が作用する。第一モーメントは、第一装飾体４１０を第一演出位置へ向けて（即ち、矢印Ｋ方向へ向けて）回転させようとするモーメントである。第一モーメントは、第一装飾体４１０の自重に起因して生じる。この場合、開口縁部４１６のうちで、軸受４９２の筒状部４９２Ａと対向する部位である一対の第一縁部分４１６Ａは、第一モーメントによって、軸線４８７Ａ側へ回転しようとする。一対の第一縁部分４１６Ａのうち下側にある第一縁部分４１６Ａは、特定可動部４９０に対して接触する。この結果、特定可動部４９０は、軸線４８７Ａ側を向く力Ｆ１を受ける。しかしながら、軸線４８７Ａから下方に延びる腕部４８９Ａは、特定可動部４９０が軸線４８７Ａ側へ変位するのを阻止する。同時に、第一対向壁部３８１は、軸受４９２の筒状部４９２Ａが上側に変位するのを阻止する。これにより、第一装飾体４１０の回転は、阻止される。従って、第一装飾体４１０は、安定して第一待機位置にて静止できる。
【００９１】
また、第一待機位置にて静止している第一装飾体４１０に対して、偶発的に上側を向く力（図示略）が作用した場合、第一装飾体４１０は、軸線４１８Ａを中心に正面視で時計回り側（矢印Ｋとは反対方向）へ回転しようとする。一対の第一縁部分４１６Ａのうち上側にある第一縁部分４１６Ａは、軸受４９２の筒状部４９２Ａに対して接触し更に下側へ付勢する。この場合であっても、筒状部４９２Ａは、挿通部３８０の第二対向壁部３８２に対して接触し、下側へ変位することを阻止される。結果、第一装飾体４１０の回転は、阻止される。従って、第一装飾体４１０は、安定して第一待機位置にて静止できる。  
【００９２】
＜８．本開示の作用効果の一例＞
以上、説明したように、特定可動部４９０は、第一縁部分４１６Ａが軸線４８７Ａ側へ変位するのを阻止する。よって、パチンコ機１は、第一待機位置にて静止している第一装飾体４１０が第一演出位置に向けて回転するのを抑制できる。故に、重心Ｇの高さが変わるように回転可能な第一装飾体４１０が停止している場合に、第一装飾体４１０が、第一装飾体４１０の自重によって回転することを抑制するパチンコ機１が実現される。本例では、第一待機位置で静止している第一装飾体４１０は、表示面２８Ａから正面視で上方に退避している。従って、第一待機位置にて静止している第一装飾体４１０が、第一装飾体４１０の自重に起因して、表示面２８Ａと正面視で重なる位置まで回転するのを、パチンコ機１は抑制できる。
【００９３】
第一待機位置で停止している第一装飾体４１０に第一モーメントが作用する場合であっても、筒状部４９２Ａ（即ち特定可動部４９０）が軸線４８７Ａ側へ変位するのを、第一対向壁部３８１は阻止する。よって、第一待機位置にて停止している第一装飾体４１０が、第一装飾体４１０の自重に起因して第一演出位置へ回転することを、パチンコ機１は更に確実に抑制できる。
【００９４】
固定部材４０９は、軸部材４１８を介して、第一装飾体４１０を回転可能に支持する。固定部材４０９には、開口縁部４１６が形成される。従って、固定部材４０９は、第一装飾体４１０が第一待機位置にて停止している場合に特定可動部４９０が変位することを阻止する機能と、第一装飾体４１０を回転可能に支持する機能とを有する。上記二つの機能が一つの部材である固定部材４０９によって達成されるので、パチンコ機１は小型化できる。
【００９５】
可動部４９０を支持する回転軸４８７は、前支持部４０１の筒状部４０３と、上固定部４０９Ａの回転支持部４０９Ｃとによって支持される。回転支持部４０９Ｃは、可動部４９０に対して筒状部４０３とは反対側から回転軸４８７を支持する。モータ４８０の駆動に伴って、可動部４９０が、第一装飾体４１０を、第一待機位置と第一演出位置との間で回転させる場合に、可動部４９０に負荷が作用しても、回転軸４８７は、上下方向に撓みにくい。よって、パチンコ機１は、モータ４８０の駆動に伴う可動部４９０の回転を、安定化する。
【００９６】
挿通部３８０は、軸線４８７Ａを中心とした回転方向に延びる。即ち、挿通部３８０は、可動部４９０が回転する方向に延びる。可動部４９０の軸受４９２の筒状部４９２Ａは、挿通部３８０の第一対向壁部３８１と第二対向壁部３８２に対して摺動しながら回転する。第一対向壁部３８１と第二対向壁部３８２が筒状部４９２Ａの回転を案内するので、パチンコ機１は、モータ４８０の駆動に伴う第一装飾体４１０の回転を安定化できる。
【００９７】
第一待機位置にて静止している第一装飾体４１０に対して、突発的に上側を向く力（図示略）が作用した場合であっても、筒状部４９２Ａが第二対向壁部３８２に対して接触する。これにより、第一装飾体４１０が第一待機位置から正面視で時計回りに回転するのを、パチンコ機１は抑制できる。よって、第一待機位置で停止している第一装飾体４１０は、外部から突発的な力が作用する場合であっても、回転しにくい。
【００９８】
第一装飾体４１０が回転する場合、装飾部４１２の開口部４１９が軸受３７８を付勢することで、装飾部材３７０は回転する。第一装飾体４１０の回転中心（軸部材４１８）と、装飾部材３７０の回転中心（支持軸３７２）とが互いに異なる。従って、第一装飾体４１０と装飾部材３７０は、互いの位置関係を変化させながら、連動して回転する。これにより、第一装飾体４１０と装飾部材３７０の動きは、変則的に見える。よって、パチンコ機１は、装飾体を動作させる演出効果を向上できる。また、第一装飾体４１０の延設部７１５は、可動部４９０の軸受４９２が摺動可能に嵌る開口縁部４１６を有する。開口縁部４１６と軸受４９２は、動力を伝達する部材であり、遊技者によって視認されるための装飾部材ではない。従って、開口縁部４１６と軸受４９２は、遊技者によって視認不能である方が好ましい。上記実施形態では、装飾部材３７０が延設部７１５を前方から覆うことで、開口縁部４１６と軸受４９２は視認不能となる。よって、パチンコ機１は、第一装飾体４１０の外観を良好にできる。
【００９９】
上記実施形態において、パチンコ機１は、本発明の「遊技機」の一例である。軸線４１８Ａは本発明の「第一軸線」の一例である。第一装飾体４１０は本発明の「回転装飾体」の一例である。軸線４８７Ａは本発明の「第二軸線」の一例である。モータ４８０は本発明の「駆動源」の一例である。挿通部３８０は本発明の「対向壁部」の一例である。支持体４０５は本発明の「支持部材」の一例である。筒状部４０３は本発明の「第一回転支持部」の一例である。回転支持部４０９Ｃは本発明の「第二回転支持部」の一例である。可動部４９０は、本発明の「回転部」の一例である。第一待機位置は、本発明の「第一回転位置」の一例である。第一演出位置は、本発明の「第二回転位置」の一例である。前後方向は、本発明の「所定方向」の一例である。
【０１００】
尚、本発明は、上記実施形態に限定されず、種々の変形が可能である。開口縁部４１６（図７、図２１参照）は、一対の第一縁部分４１６Ａを備えなくてもよい。この場合、開口縁部４１６は、一対の第二縁部分４１６Ｂから右側の部位が切り取られた形状であってもよい。この場合、開口縁部４１６は、前後方向のみならず、右側へ向けても開口する。可動部４９０が一対の第二縁部分４１６Ｂから右側にある空間に配置される場合、伝達機構４５０は、規制状態となる。一方、可動部４９０の筒状部４９２Ａが、一対の第二縁部分４１６Ｂの間に右側から進入した場合、伝達機構４５０は許容状態となる。
【０１０１】
軸線４１８Ａ，４８７Ａは、それぞれ、前後方向に延びる代わり、左右方向に延びていてもよいし、水平方向と平行且つ、左右方向及び前後方向のそれぞれの方向に対して傾斜する方向であってもよい。
【０１０２】
上記実施例では、第一装飾体４１０は、重心Ｇが軸線４１８Ａに対して延設部４１５とは反対側に位置する形状であるがこれに限定されない。例えば、第一装飾体４１０は、重心Ｇが軸線４１８Ａに対して装飾部４１２とは反対側に位置する形状であってもよい。
【０１０３】
装飾部４１２の延設方向の長さは、延設部４１５の延設方向の長さに対して同じ、又は延設部４１５の延設方向の長さよりも短くてもよい。また、例えば、延設部４１５の材質が、装飾部４１２の材質よりも比重の大きな材質が採用されること等によって、重心Ｇが軸線４１８Ａよりも右側に位置してもよい。
【０１０４】
延設部４１５は、軸部材４１８から装飾部４１２とは反対方向に延びることに限定されない。例えば、延設部４１５は、正面視で装飾部４１２に対して直交するように延びていてもよいし、正面視で装飾部４１２に対して傾斜するように延びていてもよい。
【０１０５】
上記実施例では、第一装飾体４１０、第二装飾体４２０、第三装飾体４３０、及び第四装飾体４４０は、いずれも、表示面２８Ａから退避する位置と、表示面２８Ａと正面視で重なる位置との間を変位する。これに代えて、上記四つの装飾体のうち、少なくとも一つの装飾体は、表示面２８Ａから正面視で退避する状態を維持しながら所定の方向に変位してもよいし、表示面２８Ａと正面視で重なる状態を維持しつつ、所定の方向に変位してもよい、
【０１０６】
また、請求項、明細書および図面に記載される全ての要素（例えば、図柄表示装置、大入賞装置、始動入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。 従って、要素名のみによって要素が何であるかが限定解釈されるものではない。例えば、「演出装置」は、ハード単体でも、ソフトを含んだものであっても構わない。 
【０１０７】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【０１０８】
１                  パチンコ機
３８０              挿通部
３８１              第一対向壁部
３８２              第二対向壁部
４０３              筒状部
４０５              支持体
４０９              固定部材
４０９Ｃ            回転支持部
４１０              第一装飾体
４１６              開口縁部
４１８Ａ，４８７Ａ  軸線
４８０              モータ
４９０              可動部
Ｇ                  重心
【図１】
0006696081.tif 000002
【図２】
0006696081.tif 000003
【図３】
0006696081.tif 000004
【図４】
0006696081.tif 000005
【図５】
0006696081.tif 000006
【図６】
0006696081.tif 000007
【図７】
0006696081.tif 000008
【図８】
0006696081.tif 000009
【図９】
0006696081.tif 000010
【図１０】
0006696081.tif 000011
【図１１】
0006696081.tif 000012
【図１２】
0006696081.tif 000013
【図１３】
0006696081.tif 000014
【図１４】
0006696081.tif 000015
【図１５】
0006696081.tif 000016
【図１６】
0006696081.tif 000017
【図１７】
0006696081.tif 000018
【図１８】
0006696081.tif 000019
【図１９】
0006696081.tif 000020
【図２０】
0006696081.tif 000021
【図２１】
0006696081.tif 000022